(57)【要約】【課題】  ポケット内に収容した物品を容易に且つ確実に取り出せるようにした引き出し式ポケット構造を得る。【解決手段】  平形の基材１に外ポケット２をその上側に開口部３を有するように設け、外ポケット２内に平形の引き出し部材４を開口部３から引き出し可能に収容し、引き出し部材４には物品収容内ポケット５をその上側に開口部６を有するように設け、基材１と引き出し部材４とには、引き出し部材４の引き出し時に、引き出し部材４に設けた物品収容内ポケット５の開口部６が外ポケット２の外に出て且つ引き出し部材４が外ポケット２から全体的に外に出ないように規制する引き出し規制手段９を設け、さらに、引き出し部材４の上部には、外ポケット２の表面側に着脱可能に止着して外ポケット２の開口部３を閉じる蓋部材８を設けた。【選択図】    図１
2014080703.tif 000002
【特許請求の範囲】
【請求項１】
平形の基材に外ポケットをその上側に開口部を有するように設け、前記外ポケット内に平形の引き出し部材を前記開口部から引き出し可能に収容し、前記引き出し部材には物品収容内ポケットをその上側に開口部を有するように設け、前記基材と前記引き出し部材とには、前記引き出し部材の引き出し時に、前記引き出し部材に設けた前記物品収容内ポケットの開口部が前記外ポケットの外に出て且つ前記引き出し部材が前記外ポケットから全体的に外に出ないように規制する引き出し規制手段を設け、さらに、前記引き出し部材の上部には、前記外ポケットの表面側に着脱可能に止着して前記外ポケットの前記開口部を閉じる蓋部材を設けたことを特徴とする引き出し式ポケット構造。
【請求項２】
前記引き出し規制手段は、前記引き出し部材の裏面に設けられた、上下の端部を前記引き出し部材の上部と下部とに固定し中間部をフリーとする第一規制部材と、前記外ポケット内の上部に位置して前記基材に設けられた、左右の端部を前記基材の左側部と右側部とに固定し中間部をフリーとし該フリーの中間部を前記第一規制部材の前記フリーの中間部と前記引き出し部材との間に通している第二規制部材とからなることを特徴とする請求項１に記載の引き出し式ポケット構造。
【請求項３】
前記引き出し規制手段は、前記引き出し部材の裏面下部に設けられた、左右の端部を前記引き出し部材の左側部と右側部とに固定し中間部をフリーとする第一規制部材と、前記外ポケット内に位置して前記基材に設けられた、上下の端部を前記基材の上部と下部とに固定し中間部をフリーとして該フリーの中間部を前記第一規制部材の前記フリーの中間部と前記引き出し部材との間に通している第二規制部材とからなることを特徴とする請求項１に記載の引き出し式ポケット構造。
【発明の詳細な説明】
【技術分野】
【０００１】
本発明は、ポケット内に収容した物品の取り出しが容易な引き出し式ポケット構造に関するものである。
【背景技術】
【０００２】
物品を身近に携帯する手段としてポケットがある。ポケットは、上着、ズボン等の着衣や各種バッグ、袋物等に設けられ、比較的小形の物品を収容するものとして利用されているが、特にポケットが深い場合、ポケットから物品を取り出すのに手間がかかるといったことを経験する。
【０００３】
従来、このような問題を解決するポケットとして、布、プラッチック、革等の基材に、上向きに開口部を有するポケットを取り付け、該ポケット内の手前側の部材に引き出し帯の内端を固定し、該引き出し帯の途中の部分を折り返すように弛ませて該ポケット内の底部から該ポケット内の奥側の部材に沿って外端を該ポケットの開口部から外に出した構造のポケットがある（例えば、特許文献１。）。
【０００４】
このような構造のポケットにおいて、ポケット内への物品の収容にあっては、引き出し帯の途中に物品を載せて、ポケット内に押し込むように収容する。このポケット内に収容した物品により引き出し帯の途中が物品に押され、物品を載せた状態で折り返し部となってポケット深くに収まる。そしてポケット内に収容した物品を取り出すには、引き出し帯の外端を引き出す。該引き出し帯の引き出しにより、物品を載せた折り返し部が上昇して物品を押し上げ、ポケットの外に導く。このようにして、ポケットの外に導かれた物品をポケットから取り出す。
【先行技術文献】
【特許文献】
【０００５】
【特許文献１】特開２００８−５５０７９号公報
【発明の概要】
【発明が解決しようとする課題】
【０００６】
しかしながら、特許文献１に記載されたポケットでは、ポケット内に収容した物品を取り出すため引き出し帯の引き出し時に、引き出し帯に形成される折り返し部が物品の下面を滑りながら上昇するので、物品の形状によっては引き出し帯の折り返し部が物品の下面に引っかかってしまい、円滑な引き出しができない場合があるといった問題があった。また、引き出し帯の引き出し時に、物品を載せた折り返し部がポケットの開口部近く、或いは、ポケットの開口部から出てしまった場合、物品がポケットから落ちてしまうので、引き出し帯の引き出しに注意を払わなければならないといった問題があった。
【０００７】
本発明の目的は、ポケット内に収容した物品を容易に且つ確実に取り出せるようにした引き出し式ポケット構造を提供することにある。
【課題を解決するための手段】
【０００８】
上記の目的を達成するために、請求項１に記載の発明は、平形の基材に外ポケットをその上側に開口部を有するように設け、前記外ポケット内に平形の引き出し部材を前記開口部から引き出し可能に収容し、前記引き出し部材には物品収容内ポケットをその上側に開口部を有するように設け、前記基材と前記引き出し部材とには、前記引き出し部材の引き出し時に、前記引き出し部材に設けた前記物品収容内ポケットの開口部が前記外ポケットの外に出て且つ前記引き出し部材が前記外ポケットから全体的に外に出ないように規制する引き出し規制手段を設け、さらに、前記引き出し部材の上部には、前記外ポケットの表面側に着脱可能に止着して前記外ポケットの前記開口部を閉じる蓋部材を設けたことを特徴とする。
【０００９】
請求項２に記載の発明は、請求項１に記載の、前記引き出し規制手段は、前記引き出し部材の裏面に設けられた、上下の端部を前記引き出し部材の上部と下部とに固定し中間部をフリーとする第一規制部材と、前記外ポケット内の上部に位置して前記基材に設けられた、左右の端部を前記基材の左側部と右側部とに固定し中間部をフリーとし該フリーの中間部を前記第一規制部材の前記フリーの中間部と前記引き出し部材との間に通している第二規制部材とからなることを特徴とする。
【００１０】
請求項３に記載の発明は、請求項１に記載の、前記引き出し規制手段は、前記引き出し部材の裏面下部に設けられた、左右の端部を前記引き出し部材の左側部と右側部とに固定し中間部をフリーとする第一規制部材と、前記外ポケット内に位置して前記基材に設けられた、上下の端部を前記基材の上部と下部とに固定し中間部をフリーとして該フリーの中間部を前記第一規制部材の前記フリーの中間部と前記引き出し部材との間に通している第二規制部材とからなることを特徴とする。
【発明の効果】
【００１１】
請求項１に記載の引き出し式ポケット構造によれば、平形の基材に外ポケットをその上側に開口部を有するように設け、前記外ポケット内に平形の引き出し部材を前記開口部から引き出し可能に収容し、前記引き出し部材には物品収容内ポケットをその上側に開口部を有するように設け、前記基材と前記引き出し部材とには、前記引き出し部材の引き出し時に、前記引き出し部材に設けた前記物品収容内ポケットの開口部が前記外ポケットの外に出て且つ前記引き出し部材が前記外ポケットから全体的に外に出ないように規制する引き出し規制手段を設けたので、前記引き出し部材に設けた前記物品収容内ポケットに収容した物品を取り出すために前記引き出し部材を前記外ポケットから引き出したとき、前記引き出し部材は引き出し規制手段により前記外ポケットから全体的に外に出ることが規制されることにより、不注意により前記引き出し部材が前記外ポケットから外に出ることが防止でき、そして、前記引き出し部材の引き出しにより前記外ポケットの外に開口部が出た物品収容内ポケットから物品を容易に取り出すことができる。
また、前記引き出し部材の上部には、前記外ポケットの表面側に着脱可能に止着して前記外ポケットの前記開口部を閉じる蓋部材を設けたので、前記蓋部材を前記外ポケットの表面側に止着しておくことにより、前記引き出し部材が前記外ポケットの外に不用意に出てしまうことを防止することができる。
【００１２】
請求項２に記載の引き出し式ポケット構造によれば、請求項１に記載の、前記引き出し規制手段は、前記引き出し部材の裏面に設けられた、上下の端部を前記引き出し部材の上部と下部とに固定し中間部をフリーとする第一規制部材と、前記外ポケット内の上部に位置して前記基材に設けられた、左右の端部を前記基材の左側部と右側部とに固定し中間部をフリーとし該フリーの中間部を前記第一規制部材の前記フリーの中間部と前記引き出し部材との間に通している第二規制部材とからなるので、前記引き出し部材を引き出したとき、前記引き出し部材に設けられた第一規制部材の下端部が前記基材に設けられた第二規制部材の下側縁に係止し、これにより前記引き出し部材が前記外ポケットから外へ抜け出すことを防止することができる。また、第一規制部材と第二規制部材がガイドとなって前記引き出し部材の引き出しを容易に行うことができる。
【００１３】
請求項３に記載の引き出し式ポケット構造によれば、請求項１に記載の、前記引き出し規制手段は、前記引き出し部材の裏面下部に設けられた、左右の端部を前記引き出し部材の左側部と右側部とに固定し中間部をフリーとする第一規制部材と、前記外ポケット内に位置して前記基材に設けられた、上下の端部を前記基材の上部と下部とに固定し中間部をフリーとして該フリーの中間部を前記第一規制部材の前記フリーの中間部と前記引き出し部材との間に通している第二規制部材とからなるので、前記引き出し部材を引き出したとき、前記引き出し部材の裏面下部に設けられた第一規制部材の上側縁が前記基材に設けられた第二規制部材の上端部に係止し、これにより前記引き出し部材が前記外ポケットから外へ抜け出すことを防止することができる。また、第一規制部材と第二規制部材がガイドとなって前記引き出し部材の引き出しを容易に行うことができる。
【図面の簡単な説明】
【００１４】
【図１】本発明に係る引き出し式ポケット構造の実施の形態の第１例を示す斜視図である。
【図２】図１の縦断面図である。
【図３】図１における引き出し規制手段の一部を構成する基材に設けた第二規制部材を示す説明図である。
【図４】本発明に係る引き出し式ポケット構造の実施の形態の第２例を示す縦断面図である。
【図５】図４における引き出し規制手段の一部を構成する基材に設けた第二規制部材を示す説明図である。
【図６】図４における引き出し規制手段の一部を構成する引き出し部材に設けた第一規制部材を示す説明図である。
【発明を実施するための形態】
【００１５】
以下、本発明に係る引き出し式ポケット構造の実施の形態を詳細に説明する。
図１乃至図３は本発明に係る引き出し式ポケット構造の実施の形態の第１例を示すもので、図１は本例の斜視図、図２は図１の縦断面図、図３は図１における引き出し規制手段の一部を構成する基材に設けた第二規制部材を示す説明図である。
【００１６】
本例の引き出し式ポケット構造は、シート状或いは板状からなる平形の基材１に外ポケット２がその上側に開口部３を有するように設けられている。基材１は、布、プラッチック、革等からなり、上着、ズボン等の着衣や各種バッグ、袋物等の表地が基材１として利用される。基材１に設けられた外ポケット２は、基材１と同じ布、プラッチック、革等が使用され、基材１の表面に縫着されている。
【００１７】
外ポケット２内には、シート状或いは板状からなる平形の引き出し部材４が開口部３から引き出し得るように収容されている。引き出し部材４にあっては、必要に応じて固い芯材を内蔵させることにより撓みを抑え保形性を与えることが好ましい。
引き出し部材４には、物品収容内ポケット５がその上側に開口部６を有するように設けられている。本例では、引き出し部材４に深さや大きさの異なる複数の物品収容内ポケット５が設けられている。
引き出し部材４の上部には、外ポケット２の表面側に、止着具７により着脱可能に止着して外ポケット２の開口部３を閉じる蓋部材８が設けられている。
【００１８】
基材１と引き出し部材４との間には、外ポケット２から引き出し部材４を引き出した時、少なくとも引き出し部材４に設けた物品収容内ポケット５の開口部６が外ポケット２の外に出て、且つ引き出し部材４が外ポケット２からその全体が外に出ないように規制する引き出し規制手段９が設けられている。
【００１９】
本例では、引き出し規制手段９は、引き出し部材４の裏面に設けられた第一規制部材１０と、基材１に設けられた第二規制部材１１とで構成されている。引き出し部材４の裏面に設けられた第一規制部材１０は、上下寸法が引き出し部材４の上下寸法と概ね同寸法に形成された帯状部からなり、その上端部１０ａと下端部１０ｂが引き出し部材４の上部と下部とに固定され、中間部１０ｃがフリーとなっている。
【００２０】
基材１に設けられた第二規制部材１１は、左右寸法が外ポケット２内における基材１の左右寸法と概ね同寸法に形成された帯状部からなり、その左端部１１ａと右端部１１ｂが外ポケット２内の上部に位置して基材１の左側部と右側部とに固定され、中間部１１ｃがフリーとなっており、このフリーの中間部１１ｃが第一規制部材１０のフリーの中間部１０ｃと引き出し部材４との間に通されている。
そして、引き出し部材４を引き出したとき、引き出し部材４に設けられた第一規制部材１０の下端部１０ｂが基材１に設けられた第二規制部材１１の下側縁に係止し、引き出し部材４が外ポケット２から外へ抜け出すことが阻止されるようになっている。
そして、第一規制部材１０の下端部１０ｂが基材１に設けられた第二規制部材１１の下側縁に係止する位置は、第一規制部材１０の下端部１０ｂが基材１に設けられた第二規制部材１１の下側縁に係止したとき、少なくとも引き出し部材４に設けた物品収容内ポケット５の開口部６が外ポケット２の外に出る位置に設定されている。
【００２１】
このように構成された本例の引き出し式ポケット構造によれば、引き出し部材４に設けた物品収容内ポケット５に収容した物品を取り出すために、引き出し部材４を外ポケット２から引き出したとき、引き出し部材４は引き出し規制手段９により外ポケット２から全体的に外に出ることが規制されるので、不注意により引き出し部材４が外ポケット２から外に出るでることが防止できる。
【００２２】
本例では、引き出し規制手段９は、引き出し部材４の裏面に設けられた第一規制部材１０と、基材１に設けられた第二規制部材１１とで構成され、引き出し部材４の裏面に設けられた第一規制部材１０は、その上端部１０ａと下端部１０ｂが引き出し部材４の上部と下部とに固定され、中間部１０ｃがフリーとなっており、基材１に設けられた第二規制部材１１は、その左端部１１ａと右端部１１ｂが外ポケット２内の上部に位置して基材１の左側部と右側部とに固定され、中間部１１ｃがフリーとなっており、このフリーの中間部１１ｃが第一規制部材１０のフリーの中間部１０ｃと引き出し部材４との間に通され、引き出し部材４を引き出したとき、引き出し部材４に設けられた第一規制部材１０の下端部１０ｂが基材１に設けられた第二規制部材１１の下側縁に係止するようになっているので、引き出し部材４が外ポケット２から外へ抜け出すことを防止することができる。また、第一規制部材１０と第二規制部材１１がガイドとなって引き出し部材４の引き出しを容易に行うことができる。
【００２３】
そして、第一規制部材１０の下端部１０ｂが基材１に設けられた第二規制部材１１の下側縁に係止する位置は、第一規制部材１０の下端部１０ｂが基材１に設けられた第二規制部材１１の下側縁に係止したとき、少なくとも引き出し部材４に設けた物品収容内ポケット５の開口部６が外ポケット２の外に出る位置に設定されているので、引き出し部材４を外ポケット２から引き出したとき引き出し部材４に設けた物品収容内ポケット５の開口部６が確実に外ポケット２の外で開口するので、物品収容内ポケット５に収容されている物品を容易に取り出すことができる。
【００２４】
また、本例では、引き出し部材４の上部には、外ポケット２の表面側に、止着具７により着脱可能に止着して外ポケット２の開口部３を閉じる蓋部材８が設けられているので、蓋部材８を外ポケット２の表面側に止着しておくことにより、引き出し部材４が外ポケット２の外に不用意に出てしまうことを防止することができる。
【００２５】
図４乃至図６は本発明に係る引き出し式ポケット構造の実施の形態の第２例を示すもので、図４は本例の縦断面図、図５は図４における引き出し規制手段の一部を構成する基材に設けた第二規制部材を示す説明図、図６は図４における引き出し規制手段の一部を構成する引き出し部材に設けた第一規制部材を示す説明図である。
【００２６】
本例の引き出し式ポケット構造は、引き出し規制手段９以外は、第１例と同様なので、引き出し規制手段９を説明し、他の構成の説明は第１例の説明を援用する。
本例の引き出し規制手段９は、第１例と同様に、引き出し部材４の裏面に設けられた第一規制部材１２と、基材１に設けられた第二規制部材１３とで構成されている。
【００２７】
本例では、引き出し部材４の裏面に設けられた第一規制部材１２は、左右寸法が引き出し部材４の左右寸法と概ね同寸法に形成された帯状部からなり、その左端部１２ａと右端部１２ｂが引き出し部材４の裏面下部に位置して引き出し部材４の左側部と右側部とに固定され、中間部１２ｃがフリーとなっている。
【００２８】
また、基材１に設けられた第二規制部材１３は、上下寸法が外ポケット２内における基材１の上下寸法と概ね同寸法に形成された帯状部からなり、その上端部１３ａと下端部１３ｂが基材１の上部と下部とに固定され、中間部１３ｃがフリーとなっており、このフリーの中間部１３ｃが第一規制部材１２のフリーの中間部１２ｃと引き出し部材４との間に通されている。
【００２９】
そして、引き出し部材４を引き出したとき、引き出し部材４に設けられた第一規制部材１２の上側縁が基材１に設けられた第二規制部材１３の上端部１３ａに係止し、引き出し部材４が外ポケット２から外へ抜け出すことが阻止されるようになっている。第一規制部材１２の上側縁が基材１に設けられた第二規制部材１３の上端部１３ａに係止する位置は、第一規制部材１２の上側縁が基材１に設けられた第二規制部材１３の上端部１３ａに係止したとき、少なくとも引き出し部材４に設けた物品収容内ポケット５の開口部６が外ポケット２の外に出る位置に設定されている。
【００３０】
このように構成された本例の引き出し式ポケット構造によれば、引き出し規制手段９は、引き出し部材４の裏面に設けられた第一規制部材１２と、基材１に設けられた第二規制部材１３とで構成され、引き出し部材４の裏面に設けられた第一規制部材１２は、左右寸法が引き出し部材４の左右寸法と概ね同寸法に形成された帯状部からなり、その左端部１２ａと右端部１２ｂが引き出し部材４の裏面下部に位置して引き出し部材４の左側部と右側部とに固定され、中間部１２ｃがフリーとなっており、基材１に設けられた第二規制部材１３は、上下寸法が外ポケット２内における基材１の上下寸法と概ね同寸法に形成された帯状部からなり、その上端部１３ａと下端部１３ｂが基材１の上部と下部とに固定され、中間部１３ｃがフリーとなっており、このフリーの中間部１３ｃが第一規制部材１２のフリーの中間部１２ｃと引き出し部材４との間に通され、引き出し部材４を引き出したとき、引き出し部材４に設けられた第一規制部材１２の上側縁が基材１に設けられた第二規制部材１３の上端部１３ａに係止するようになっているので、引き出し部材４が外ポケット２から外へ抜け出すことを防止することができる。また、第一規制部材１２と第二規制部材１３がガイドとなって引き出し部材４の引き出しを容易に行うことができる。
その他の作用効果は、第１例と同様なので、第１例の説明を援用する。
【符号の説明】
【００３１】
１  基材
２  外ポケット
３  開口部
４  引き出し部材
５  物品収容内ポケット
６  開口部
７  止着部
８  蓋部材
９  引き出し規制手段
１０  第一規制部材
１０ａ  上端部
１０ｂ  下端部
１０ｃ  中間部
１１  第二規制部材
１１ａ  左端部
１１ｂ  右端部
１１ｃ  中間部
１２  第一規制部材
１２ａ  左端部
１２ｂ  右端部
１２ｃ  中間部
１３  第二規制部材
１３ａ  上端部
１３ｂ  下端部
１３ｃ  中間部
【図１】
2014080703.tif 000003
【図２】
2014080703.tif 000004
【図３】
2014080703.tif 000005
【図４】
2014080703.tif 000006
【図５】
2014080703.tif 000007
【図６】
2014080703.tif 000008